【手続補正書】
【提出日】平成15年12月15日(2003.12.15)
【手続補正１】
【補正対象書類名】明細書
【補正対象項目名】全文
【補正方法】変更
【補正の内容】
【発明の名称】電気掃除機用延長管
【特許請求の範囲】
【請求項１】一端に接続端子Ａを設けた外管と、前記外管内で摺動自在に設けた内管と、前記内管の一端に設けられた接続端子Ｂと、前記内管外周に設けたカバ−体と、前記カバ−体と前記内管壁面とで構成する収納部内に一端側を挿入し、他端側を外管に固定した筒状体と、前記筒状体及び収納部内に位置し、前記接続端子Ａと前記接続端子Ｂとを接続する導電体を備え、この導電体は伸縮自在な構成とした電気掃除機用延長管。
【請求項２】内管とカバ−体を溶着接合のみでエア−タイト構成とした請求項１記載の電気掃除機用延長管。
【請求項３】カバ−体内面にリブを形成し、このリブの両面側に少なくとも一対の導電体をそれぞれ配設した請求項１または２記載の電気掃除機用延長管。
【請求項４】カバ−体内面側の内管外方にリブを形成し、このリブの両面側に少なくとも一対の導電体をそれぞれ配設した請求項１または２記載の電気掃除機用延長管。
【請求項５】複数の筒状体を接続体で連結した請求項１〜４のいずれか１項記載の電気掃除機用延長管。
【請求項６】導電体の先端を接続端子Ａ及び接続端子Ｂに直接かしめて接続した請求項１〜５のいずれか１項記載の電気掃除機用延長管。
【請求項７】導電体の先端に折曲部を形成し、接続端子Ａ及び接続端子Ｂに前記折曲部を直接かしめて接続した請求項６記載の電気掃除機用延長管。
【請求項８】筒状体の内径を接続端子Ａの外径より小とし、導電体の張力にて前記接続端子Ａを前記筒状体の軸方向に附勢し、前記接続端子Ａの係止により前記接続端子Ａを前記筒状体端部に支持できる請求項１〜７のいずれか１項記載の電気掃除機用延長管。
【請求項９】導電体内に棒体を設けた請求項１〜８のいずれか１項記載の電気掃除機用延長管。
【請求項１０】導電体内に伸縮自在の弾性体を設けた請求項１〜９のいずれか１項記載の電気掃除機用延長管。
【請求項１１】導電体外周に伸縮自在の伸縮体を設けた請求項１〜１０のいずれか１項記載の電気掃除機用延長管。
【請求項１２】内管あるいはカバー体の収納部内面に緩衝材を設けた請求項１〜１１のいずれか１項記載の電気掃除機用延長管。
【請求項１３】筒状体内面あるいは導電体外周に移動可能な緩衝材を設けた請求項１〜１２のいずれか１項記載の電気掃除機用延長管。
【請求項１４】カバ−体の接続端子Ｂの近傍と、内管壁面の接続端子Ａ側端部近傍とに開口を設け、前記カバ−体と内管壁面とで構成する収納部内の筒状体に、外気を侵入接触させる通風経路を構成した請求項１〜１３のいずれか１項記載の電気掃除機用延長管。
【請求項１５】内管壁面の接続端子Ｂの近傍の開口と、内管壁面の接続端子Ａ側端部近傍とに開口を設け、カバ−体と内管壁面とで構成する収納部内の筒状体に、外気を侵入接触させる通風経路を構成した請求項１〜１３のいずれか１項記載の電気掃除機用延長管。
【請求項１６】筒状体の接続端子Ａの近傍に略Ｖ字型の折曲部を設け、前記折曲部を外管に固定することにより、前記筒状体の軸方向の抜止めを行う請求項１〜１５のいずれか１項記載の電気掃除機用延長管。
【請求項１７】筒状体の接続端子Ａ近傍に略コの字型の複数折曲部を設け、前記折曲部を外管に固定することにより、前記筒状体の軸方向の抜止めを行うとともに、複数の前記導電体の間隔を自在に設定可能とした請求項１〜１５のいずれか１項記載の電気掃除機用延長管。
【請求項１８】筒状体端部の断面を加熱もしくは加圧により縮小し、コイル状の導電体を圧着保持させた請求項１〜１７のいずれか１項記載の電気掃除機用延長管。
【請求項１９】筒状体を塵埃吸引状態において延長管上方に構成した請求項１〜１８のいずれか１項記載の電気掃除機用延長管。
【請求項２０】外管内面の筒状体接合部近傍に、ホ−ス接続側に従い吸込通路面積が小さくなる斜面を有する部材を設けた請求項１〜１９のいずれか１項記載の電気掃除機用延長管。
【請求項２１】内管にリブを設け、前記リブに導電体の伸縮体端部を係止固定した請求項１〜１９のいずれか１項記載の電気掃除機用延長管。
【発明の詳細な説明】
【０００１】
【発明の属する技術分野】
本発明は、伸縮自在で、かつ導電線を有する電気掃除機用延長管に関するものである。
【０００２】
【従来の技術】
従来の電気掃除機用延長管として実開昭６１−１６４６４９号公報に示す構造のものがある。この延長管の構成を図２５〜２７を用いて説明する。図において、３は内管４と外管５とからなる伸縮自在な延長管である。９は両端にプラグ１０、１１を有する延長コ−ドで、一方のプラグ１０を吸込具１５の接続部（図示せず）に、他方のプラグ１１を手元スイッチ部１６の接続部（図示せず）にそれぞれ接続することにより、吸込具１５側と掃除機本体１７側とを手元スイッチ部１６を介して電気的に接続する。
【０００３】
また、延長コ−ド９は伸縮自在のコイル部９ａを設けており、このコイル部９ａは常時収縮状態にあって外力により伸長される構成である。１２は内管４に装着したコ−ドクリップ、１３は外管５と一体若しくは別体のコ−ドクリップであり、上記延長コ−ド９はコイル部９ａを境にしてその両端部側をコ−ドクリップ１２、１３に係止保持することにより内管４・外管５にそれぞれ支持される。１４は、内管４を伸縮させその長さを固定する押しボタンである。
【０００４】
そして上記構成において、延長管３は通常図２５に示すように内・外管４、５を収縮した状態で収納保管されており、この時延長コ−ド９のコイル部９ａは収縮した状態で延長管３に沿って位置している。次に延長管３を使用する場合、押し釦１４を操作して図２６に示すように内・外管４、５を伸長するものであり、この時延長コ−ド９のコイル部９ａも伸長される。このように、延長管３の伸長、収縮状態に応じて延長コ−ド９が伸縮するように構成していた。
【０００５】
しかし本構成では、延長コ−ド９が延長管３の外周側に露出した状態で取り付けられていたので、掃除作業中に延長コ−ド９が物に引っかかり易く、掃除作業性が悪かった。
【０００６】
そこで上記課題を解決するため、図２８に示す構造の延長管が実用化されている。一端に接続端子Ａ２０を設けた外管２１と、前記外管２１内で摺動自在に設けた内管２２と、前記内管２２の一端に設けられた接続端子Ｂ２３と、前記接続端子Ａ２０と伸縮自在の導電体２４を接続するリ−ド線Ａ２５と、前記接続端子Ｂ２３と前記導電体２４を接続するリ−ド線Ｂ２６と、前記リ−ド線Ａ２５を収納し外管２１に固定される筒状体Ａ２７と、前記導電体２４を収納し内管２２に固定される筒状体Ｂ２８とを備え、前記リ−ド線Ａ２５と前記接続端子Ａ２０又前記リ−ド線Ｂ２６と前記接続端子Ｂ２３はかしめ接続され、前記内管２２を前記外管２１内で伸縮したとき、前記接続端子Ａ２０と接続端子Ｂ２３に前記導電体２４の張力が伝達しないよう、前記導電体２４を前記筒状体Ａ２７の前記接続端子Ｂ２３側先端近傍に係止固定させ、前記リ−ド線Ａ２５を半田接続し、さらに反対側の端部を前記筒状体Ｂ２８の前記接続端子Ｂ２３側先端近傍に係止固定させ、前記リ−ド線Ｂ２６を半田接続し、前記導電体２４は前記筒状体Ｂ２８端部と前記筒状体Ａ端部に両端を固定され、前記筒状体Ｂ２８内を伸縮する構成とし、接続端子Ａ２０、リ−ド線Ａ２５、導電体２４、リ−ド線Ｂ２６、接続端子Ｂ２３を通電させることにより、掃除機本体側から吸込具側に電力を供給できる構成としていた。
【０００７】
【発明が解決しようとする課題】
しかし本構成では、筒状体Ｂ２８内部に導電体２４及びリ−ド線Ａ２５を収納した筒状体Ａ２７を収納しており、さらに導電体２４とリ−ド線Ａ２５を半田接続しているため、リ−ド線Ａ２５を筒状体Ａ２７に収納し、導電体２４を半田接続し、前記導電体２４を筒状体Ｂ２８内に挿入してからさらにリ−ド線Ｂ２６を半田接続するという工程が必要で、組立に多大な時間を必要とし、また筒状体Ｂ２８の内部に筒状体Ａ２７が深く挿入され、前記筒状体Ａ２７の先端部から前記筒状体Ｂ２８のほぼ端部までしか導電体２４の圧縮長がとれないため、導電体２４の最大長さが短く、伸縮耐久性が低下する問題があった。
【０００８】
本発明は上記課題に鑑み、組立易く耐久性の高い電気掃除機用延長管を提供することを目的とする。
【０００９】
【課題を解決するための手段】
上記目的を達成するために本発明は、カバ−体と内管壁面とで構成する収納部内に一端を挿入し、他端を外管に固定する筒状体内のみならず、この筒状体を挿入する収納部にも導電体を配してこれを伸縮自在な構成としているので、導電体を長いものとすることができ、伸縮耐久性が向上するとともに、接続端子Ａ・接続端子Ｂ・導電体のみで導電回路を形成できるため、部品点数、組立数の削減が図れる。
【００１０】
【発明の実施の形態】
本発明の請求項１記載の発明は、一端に接続端子Ａを設けた外管と、前記外管内で摺動自在に設けた内管と、前記内管の一端に設けられた接続端子Ｂと、前記内管外周に設けたカバ−体と、前記カバ−体と前記内管壁面とで構成する収納部内に一端を挿入し、他端を外管に固定する筒状体と、前記筒状体及び収納部内に位置し、前記接続端子Ａと前記接続端子Ｂを接続する導電体を備え、この導電体は伸縮自在な構成としたものであり、筒状体と収納部の両方にまたがるように導電体を配するので、導電体を長いものとすることができ、伸縮耐久性が向上するとともに、接続端子Ａ・接続端子Ｂ・導電体のみで導電回路を形成できるため、部品点数が少なく、容易に組立てできるものである。
【００１１】
本発明の請求項２記載の発明は、内管とカバ−体を溶着接合のみでエア−タイト構成としたものであり、ネジ等で固定接合するよりも容易で、簡単に組み立てができ、連続した溶着リブを形成することにより、容易にエア−タイト構成が形成できるものである。
【００１２】
本発明の請求項３記載の発明は、カバ−体内面にリブを形成し、このリブの両面側に少なくとも一対の導電体をそれぞれ設けたものであり、導電体の外周部に過大な空間がなくても互いの導電体は接触せず、延長管の断面積縮小・延長管の小型化ができるものである。
【００１３】
本発明の請求項４記載の発明は、カバ−体内面側の内管外方にリブを形成し、このリブの両面側に少なくとも一対の導電体をそれぞれ設けたものであり、導電体の外周部に過大な空間がなくても互いの導電体は接触せず、延長管の断面積縮小・延長管の小型化ができるものである。
【００１４】
本発明の請求項５記載の発明は、複数の筒状体を接続体で連結したものであり、部品点数削減ができ、組立の容易化や部品自体のコストダウンができるものである。
【００１５】
本発明の請求項６記載の発明は、導電体先端を接続端子Ａ及び接続端子Ｂに直接かしめて接続したものであり、導電体と接続端子Ａ・接続端子Ｂへの接続部品削減によりコスト削減ができ、より安価に製造が可能となるものである。
【００１６】
本発明の請求項７記載の発明は、導電体先端に折曲部を形成し、接続端子Ａ及び接続端子Ｂに前記折曲部を直接かしめて接続したものであり、かしめ部の導電体断面積が増大し導電体が接続端子Ａ及び接続端子Ｂに確実に接続されるため、強い張力が働いても抜け止めでき、電気的接続が維持されるものである。
【００１７】
本発明の請求項８記載の発明は、筒状体の内径を接続端子Ａ外径より小とし、導電体の張力にて前記接続端子Ａを前記筒状体の軸方向に附勢し、前記接続端子Ａの係止により前記接続端子Ａを前記筒状体端部に支持できるものであり、内管を組み立てる際の筒状体挿入時に、導電体の張力で接続端子Ａが筒状体端部でグラグラすることがないので、挿入しにくい等の問題もなく容易に組み立てでき、組み立て作業効率が上がるものである。
【００１８】
本発明の請求項９記載の発明は、導電体内に棒体を設けたものであり、導電体は棒体により延長管に対するラジアル方向の動きを規制されるので、外部から横衝撃が加わった場合にも、内管外面もしくは、カバー体内面に導電体が当たることにより発生する異常音を防止できるものである。
【００１９】
本発明の請求項１０記載の発明は、導電体内に伸縮自在の弾性体を設けたものであり、導電体内の弾性体が伸びることで張力が加わり、ラジアル方向に対して剛性を保つようになり、この剛性により、導電体のラジアル方向の動きを規制されるので、外部から横衝撃が加わった場合にも、内管外面もしくは、カバー体内面に導電体が当たることにより発生する異常音を防止できるものである。
【００２０】
本発明の請求項１１記載の発明は、導電体外周に伸縮自在の伸縮体を設けたものであり、前記伸縮体が延長管が伸量だけ伸びることで、常に導電体は伸縮体内に存在するため、外部から横衝撃が加わった場合にも、直接内管外面もしくは、カバー体内面に導電体は衝突しないので異常音を防止できるものである。
【００２１】
本発明の請求項１２記載の発明は、内管あるいはカバー体の導電体収納部内面に緩衝材を設けたものであり、延長管が伸び導電体が露出し、横衝撃により導電体がラジアル方向に振動しても、導電体収納部に配した緩衝材のおかげで異常音は発生しないものである。
【００２２】
本発明の請求項１３記載の発明は、筒状体内面あるいは導電体外周に移動可能な緩衝材を設けたものであり、延長管が伸び導電体が露出し、横衝撃により導電体がラジアル方向に振動しても、リング状緩衝材のおかげで異常音は発生しないものである。
【００２３】
本発明の請求項１４記載の発明は、カバ−体の接続端子Ｂ近傍と、内管壁面の接続端子Ａ側端部近傍とに開口を設け、カバ−体と内管壁面とで構成する収納部内に設けた筒状体に、外気を侵入接触させる通風経路を構成したものであり、開口より外気通風路が形成され、カバ−体内部の筒状体へ外気が侵入接触し、筒状体に収納された導電体の発熱に対し冷却ができ、温度上昇が緩和できるものである。
【００２４】
本発明の請求項１５記載の発明は、内管壁面の接続端子Ｂ近傍と、内管壁面の接続端子Ａ側端部近傍とに開口を設け、カバ−体と内管壁面とで構成する収納部内に設けた筒状体に、外気を侵入接触させる通風経路を構成したものであり、筒状体に収納されたコイル状の導電体の発熱に対し冷却ができ、温度上昇が緩和され、またカバ−体に外気と連通する開口を設けない為、塵埃通路内の負圧劣化を発生させず効果が得られるものである。
【００２５】
本発明の請求項１６記載の発明は、筒状体の接続端子Ａ近傍に略Ｖ字型の折曲部を設け、前記折曲部を外管に固定することにより、前記筒状体の軸方向の抜止めを行うものであり、導電体収納通路を複数に構成可能となり、筒状体部品点数が削減されコストダウンができるとともに、抜け力向上ができるのである。
【００２６】
本発明の請求項１７記載の発明は、筒状体の接続端子Ａ近傍に略コの字型の複数折曲部を設け、前記折曲部を外管に固定することにより、前記筒状体の軸方向の抜止めを行うとともに、複数の前記導電体の間隔を自在に設定可能としたものであり、略コの字型と構成することにより、上記同様導電収納通路を複数に構成可能となり、筒状体部品点数が削減されコストダウンができ、他通路との断面ピッチを自在に設定可能とできるとともに、抜け力向上が図れるものである。
【００２７】
本発明の請求項１８記載の発明は、筒状体端部の断面を加熱もしくは加圧により縮小して、コイル状の導電体を圧着保持させたものであり、別途保持部品が必要無く、部品点数が削減されコストダウンができるものである。
【００２８】
本発明の請求項１９記載の発明は、筒状体を塵埃吸引状態において延長管上方に構成したものであり、筒状体を延長管の内面上方に設けることにより、掃除作業終了時に筒状体と延長管内面間に塵埃が蓄積することもなく、塵埃詰まり等が防止でき、延長間伸縮動作に障害を生じないものである。
【００２９】
本発明の請求項２０記載の発明は、外管内面の筒状体接合部近傍に、ホ−ス接続側に従い吸込通路面積が小さくなる斜面を有する部材を設けたものであり、外管と筒状体の接合部近傍に、ホ−ス接続側に従い吸込通路面積が小さくなる斜面を構成したため、筒状体間にヘア−ピンや爪楊枝等がつき刺ささったときにも、内管の伸縮により吸込通路に押し出され、筒状体接合部より突き出る等の機能障害を生じないものである。
【００３０】
本発明の請求項２１記載の発明は、内管にリブを設け、前記リブに導電体の伸縮体端部を係止固定したものであり、延長管を組立てるとき、リブに導電体を押付けるだけで確実に固定できるため、簡単に組立作業が行えるものである。
【００３１】
【実施例】
（実施例１）
以下、本発明の第１の実施例を図１〜図５を用いて説明する。まず電気掃除機の全体構成を図３により説明する。図に於いて、電動送風機（図示せず）を内蔵する掃除機本体３０１の吸込口３０２に導電線内蔵のホ−ス３０３の一端を接続し、他端側に設けた手元操作部３０４により掃除機本体３０１内の電動送風機の運転を制御する。
【００３２】
手元操作部３０４には伸縮自在な延長管３０５が接続され、前記延長管３０５は前記手元操作部３０４側に接続される外管３０６と、前記外管３０６を軸方向に移動自在に挿入される内管３０７からなり、前記内管３０７の端部は、回転ブラシ３０８と前記回転ブラシ３０８を駆動する駆動用モ−タ−３１２を内蔵した床ノズル３０９に接続されている。
【００３３】
手元操作部３０４の端部には、ホ−ス３０３に内蔵された導電線に接続された接続受け部Ａ３１０が取着されている。外管３０６の前記手元操作部３０４側の端部には、前記外管３０６を前記手元操作部３０４に接続したときに、前記接続受け部Ａ３１０に嵌合する接続端子Ａ３１１が設けられている。
【００３４】
一方、内管３０７の床ノズル３０９側の端部には、接続端子Ｂ３１３を配設した接続部３１６が形成されている。床ノズル３０９の前記内管３０７側の端部には、前記内管３０７を接続したときに電気的に接続される接続受け部Ｂ３１４が設けられている。前記接続受け部Ｂ３１４は、駆動用モ−タ−３１２に接続されている。
【００３５】
外管３０６の接続端子Ａ３１１と内管３０７の接続端子Ｂ３１３間は後述の接続手段で電気的に接続されている。このようにして、掃除機本体３０１よりホ−ス３０３、手元操作部３０４、延長管３０５を介して駆動用モ−タ−３１２に電力が供給されるようになっているが、床ノズル３０９に信号表示手段を設けた場合等は、掃除機本体３０１または手元操作部３０４から信号を伝達することもでき、電力供給用以外にも信号伝達用としても利用することもできる。
【００３６】
次に、延長管３０５の詳細な構成を、図１、図２、図４、図５を用いて説明する。外管３０６の手元操作部３０４側の一端には、手元操作部３０４の端部に嵌合される嵌合部３１５が設けられ、内管３０７の反外管３０６側の端部には床ノズル３０９の内管３０７側の端部を結合するための接続部３１６が設けられている。
【００３７】
前記外管３０６の手元操作部３０４側の端部に設けられている接続端子Ａ３１１から、前記内管３０７の床ノズル３０９側の端部に設けられている接続端子Ｂ３１３を電気的かつ機械的にかしめ接続する伸縮自在の導電体３１７、及びその外周部に設けられた筒状体３１８の一端側が、前記内管３０７の側面とカバ−体３２０とで形成された収納部３２０ｂ内に挿入され、延長管３０５の軸方向にこの収納部３２０ｂ内を移動するように配設されている。
【００３８】
導電体３１７は、その伸縮部の端部をそれぞれ固定体３１９、リブ３３９に固定されることにより、接続端子Ａ３１１、接続端子Ｂ３１３に張力が加わらない。筒状体３１８の手元操作部３０４側の端部は固定体３１９を介して前記外管３０６の開口部３０６ｂに固定され、延長管３０５を伸したとき、導電体３１７を収納した状態で外管３０６の吸込通路内に露出し、通過する塵埃等が導電体３１７に付着するのを防止する。３２１は内管３０７の外周に配されたパッキンで、外管３０６の内壁と内管３０７との気密を維持するためのものである。
【００３９】
上記構成による作用は以下の通りである。すなわち、手元操作部３０４の先端に外管３０６の嵌合部３１５を嵌合させて接続すると、同時に接続端子Ａ３１１が手元操作部３０４の接続受け部Ａ３１０に接続される。次に床ノズル３０９の内管３０７側の端部を内管３０７に挿入することで、両者の接続を行うとともに、床ノズル３０９の接続受け部Ｂ３１４と内管３０７側の接続端子Ｂ３１３の電気的接続が行われる。
【００４０】
前記接続端子Ａ３１１と前記接続端子Ｂ３１３は、電気的に１個の伸縮自在の導電体３１７で接続されており、内管３０７を外管３０６の内部で自由に摺動させても、前記導電体３１７が伸縮することで常に接続端子Ａ３１１と接続端子Ｂ３１３が電気的に接続される。
【００４１】
延長管３０５を伸したとき、筒状体３１８が導電体３１７を収納した状態で外管３０６の吸込通路に露出し、塵埃の導電体３１７への付着又塵埃衝突による導電体３１７破損を防止する。
【００４２】
このようにして掃除機本体３０１から、ホ−ス３０３内の導電線、手元操作部３０４の接続受け部Ａ３１０、接続端子Ａ３１１、導電体３１７、接続端子Ｂ３１３接続受け部Ｂ３１４を経て、駆動用モ−タ−３１２に電力が供給される。
【００４３】
（実施例２）
次に本発明の第２の実施例を、図６を用いて説明する。なお、上記実施例と同一構成部品には同一符号を付し、その説明を省略する。図６は内管３０７を外管３０６に挿入した部分の断面図で、内管３０７とカバ−体３２０が、超音波溶着等の溶着方式により溶着・接合されている。
【００４４】
上記構成による作用は以下の通りである。内管３０７を組立時には、導電体３１７を収納した筒状体３１８を配し、その上部にカバ−体３２０を接合するが、その接合に超音波溶着等の溶着方式を採用しているため、ネジ締め等の複雑な作業が不必要となり容易に組立てができるとともに、エア−タイト性の向上にもつながり、分解が困難となるため容易に充電部が露出しなくなるものである。
【００４５】
（実施例３）
次に本発明の第３の実施例を、同図６を用いて説明する。なお、上記実施例と同一構成部品には同一符号を付し、その説明を省略する。カバ−体３２０内面にリブＡ３２２が一体的に形成され、導電体３１７を収納した複数の筒状体３１８を、前記リブＡ３２２で隔離したものである。
【００４６】
上記構成による作用は以下の通りである。延長管３０５を伸したときには、導電体３１７が伸び筒状体３１８の内管３０７側の先端より露出するが、リブＡ３２２で隔離されているため前記導電体３１７が変形した時にもお互いに電気的に接触することなく、導電体３１７周囲に過大な空間を必要とせず、内管３０７断面積を小型化でき、延長管３０５の小型化ができる。
【００４７】
（実施例４）
次に本発明の第４の実施例を、図７を用いて説明する。なお、上記実施例と同一構成部品には同一符号を付し、その説明を省略する。図７は内管３０７を外管３０６に挿入した部分の断面図で、内管３０７の外面にリブＢ３２３をカバ−体３２０側に突出させて形成し、導電体３１７を収納した筒状体３１８を前記リブＢ３２３で隔離したものである。
【００４８】
上記構成による作用は以下の通りである。延長管３０５を伸したときには、導電体３１７が伸び筒状体３１８の内管３０７側の先端より露出するが、リブＢ３２３で隔離されているため前記導電体３１７が変形した時にもお互いに電気的に接触することなく、導電体３１７周囲に過大な空間を必要とせず、内管３０７断面積を小型化でき、延長管３０５の小型化ができる。
【００４９】
（実施例５）
次に本発明の第５の実施例を、図８を用いて説明する。なお、上記実施例と同一構成部品には同一符号を付し、その説明を省略する。図８は内管３０７を外管３０６に挿入した部分の断面図で、複数の筒状体３１８を接続体３２４で一体的に連結し、前記筒状体３１８を１部品の押出成型で製作したものである。
【００５０】
上記構成による作用は以下の通りである。内管３０７を組み立てる際には、複数の導電体３１７を収納した筒状体３１８を配し、その上部にカバ−体３２０を接合するが、単体の筒状体３１８を挿入するだけで組立て作業ができるため、複数の筒状体３１８が捩れて挿入しにくい等の課題もなく容易に組立てできるとともに、部品点数削減により、より安価に製造が可能となる。
【００５１】
（実施例６）
次に本発明の第６の実施例を、図９、図１０を用いて説明する。なお、上記実施例と同一構成部品には同一符号を付し、その説明を省略する。図９、図１０は接続端子Ａ３１１及び接続端子Ｂ３１３と導電体３１７の接続部の詳細図て、導電体３１７の両端はリ−ド線等を介することなく接続端子Ａ３１１及び接続端子Ｂ３１３のかしめ部３１１ａ，３１３ｂの各々に直接かしめ接続している。
【００５２】
上記構成による作用は以下の通りである。導電体３１７と接続端子Ａ３１１及び接続端子Ｂ３１３を直接かしめ接続することにより、リ−ド線等の余分な接続部品を削減でき、より安価に製造が可能となるものである。
【００５３】
（実施例７）
次に本発明の第７の実施例を、同図９、図１０を用いて説明する。なお、上記実施例と同一構成部品には同一符号を付し、その説明を省略する。図において、導電体３１７の両端部に各々折曲部３１７ａ，３１７ｂを設け、接続端子Ａ３１１及び接続端子Ｂ３１３に前記折曲部３１７ａ，３１７ｂを直接かしめ接続している。
【００５４】
上記構成による作用は以下の通りである。導電体３１７の端部を折曲部３１７ａ，３１７ｂで折り曲げた後、接続端子Ａ３１１及び接続端子Ｂ３１３にかしめ接続しているため、かしめ部での前記導電体３１７の断面積が２倍になり、確実に接続され、強い張力が働いても抜けず電気的接続が維持されるものである。
【００５５】
（実施例８）
次に本発明の第８の実施例を、図１１を用いて説明する。なお、上記実施例と同一構成部品には同一符号を付し、その説明を省略する。図１１は接続端子Ａ３１１と導電体３１７の接続部の詳細図で、接続端子Ａ３１１の中間部に鍔部３１１ｂを設け、さらに筒状体３１８の内径３２５を前記鍔部３１１ｂの外径３２６より小さくし、導電体３１７の張力により前記接続端子Ａ３１１がＡ方向に附勢されるが、接続端子Ａ３１１を筒状体３１８端部に仮支持できる様に構成している。
【００５６】
上記構成による作用は以下の通りである。内管３０７を組立てる際の筒状体３１８挿入時に、導電体３１７の張力Ａで接続端子Ａ３１１が筒状体３１８端部で仮支持され、グラグラせず挿入しにくい等の問題もなく、容易に組立てでき、作業効率が上がるものである。
【００５７】
（実施例９）
次に本発明の第９の実施例を、図１２を用いて説明する。なお上記実施例と同一構成部品については同一符号を付し、その説明を省略する。図１２はカバー体３２０を取り外した延長管の要部平面図で、導電体３１７内に棒体３２７を配し、前記棒体３２７の接続端子Ｂ３１３側端部には凹部３２８を設け、また内管３０７の係止リブ３２９にはスリット３２９ａを有し、前記棒体３２７の凹部３２８を前記係止リブ３２９の前記スリット３２９ａに嵌合することで、前記棒体３２７が内管３０７に固定されている。
【００５８】
上記構成による作用は以下の通りである。導電体３１７は棒体３２７により延長管３０４の周方向の動きが規制され、外部から横衝撃が加わった場合にも、内管３０７もしくはカバー体３２０に導電体３１７が衝突することがないので、衝突に伴う異常音発生を防止できる。ここで棒体３２７は内管３０７に対して固定されており、延長管３０４軸方向に移動することはない。
【００５９】
（実施例１０）
次に本発明の第１０の実施例を、図１３を用いて説明する。なお上記実施例と同一構成部品については同一符号を付し、その説明を省略する。図１３はカバー体３２０を除した延長管の要部平面図で、導電体３１７内には伸縮自在な弾性体であるゴム体３３０を配し、前記ゴム体３３０の両端は導電体３１７の両端に固定されている。
【００６０】
上記構成による作用は以下の通りである。導電体３１７内のゴム体３３０は伸びることで軸垂直方向の剛性が高くなり、この強力な剛性により導電体３１７の軸垂直方向の動きも規制され、外部から横衝撃が加わった場合にも、内管３０７もしくはカバー体３２０に導電体３１７が衝突することがないので、衝突に伴う異常音発生を防止できる。
【００６１】
（実施例１１）
次に本発明の第１１の実施例を、図１４を用いて説明する。なお上記実施例と同一構成部品については同一符号を付し、その説明を省略する。図１４はカバー体３２０を除した延長管の要部平面図で、筒状体３１８の接続端子Ｂ３１３側端部が伸縮自在のジャバラ状筒体３３１に形成されており、前記ジャバラ状筒体３３１の接続端子Ｂ３１３側の端部は、内管３０７の係止リブ３３２に固定されている。
【００６２】
上記構成による作用は以下の通りである。延長管３０４を伸ばしたとき、筒状体３１８は内管３０７とカバー体３２０とで構成する収納部内を手元操作部３０４側に移動し、ジャバラ状筒体３３１は内管３０７に固定されているため筒状体３１８の移動量だけ伸び、そのため常に導電体３１７は筒状体３１８あるいはジャバラ状筒体３３１内から露出することなく、外部から横衝撃が加わった場合にも内管３０７又はカバー体３２０に直接導電体３１７が衝突することがないので、衝突に伴う異常音発生を防止できる。ここでジャバラ状筒体３３１は内管３０７に係止固定しており、延長管３０４の軸方向に移動することはない。
【００６３】
なお本実施例に於けるジャバラ状筒体３３１を、筒状体３１８内径より小の外径でかつ導電体３１７の外径より大の内径の筒状体小に変更しても、前記筒状体小は内管３０７の係止リブ３３２に係止しているため、前記内管３０７を摺動させたとき、筒状体３１８内を摺動し導電体３１７を常時覆う構成となるため、同様の効果を生み出すことができる。
【００６４】
（実施例１２）
次に本発明の第１２の実施例を、同図１５を用いて説明する。なお上記実施例と同一構成部品については同一符号を付し、その説明を省略する。図１５は延長管３０５の断面図で、内管３０７及びカバー体３２０とで構成する導電体３１７を収納する収納部内面に緩衝材３３４を接着固定している。
【００６５】
上記構成による作用は以下の通りである。延長管３０４を伸ばしたとき、筒状体３１８は内管３０７とカバー体３２０とで構成する収納部内を手元操作部３０４側に移動し、導電体３１７は筒状体３１８の移動量だけ露出する。この時外部外部から横衝撃が加わったとき導電体３１７は緩衝材３３４と衝突し、内管３０７又はカバー体３２０に直接衝突することなく、異常音発生を防止できる。
【００６６】
（実施例１３）
次に本発明の第１３の実施例を、図１６を用いて説明する。なお上記実施例と同一構成部品については同一符号を付して、その説明を省略する。図１６はカバー体３２０を除した延長管の要部平面図で、導電体３１７外周に、内径３３５ａが前記導電体３１７の外径３１７ａより大で外径３３５ｂが筒状体３１８の内径３１８ｂより小の、リング状緩衝材３３５を設けている。
【００６７】
上記構成による作用は以下の通りである。延長管３０４を伸ばし床ノズル３０９側を下に向けたとき、筒状体３１８は内管３０７とカバー体３２０とで構成する収納部内を手元操作部３０４側に移動し、導電体３１７は筒状体３１８の移動量だけ露出し、リング状緩衝材３３５が導電体３１７の外周に移動する。この時外部から横衝撃が加わったとき導電体３１７はリング状緩衝材３３５と衝突し、内管３０７又はカバー体３２０に直接衝突することなく、異常音発生を防止できる。
【００６８】
（実施例１４）
次に本発明の第１４の実施例を、図１７、１８を用いて説明する。なお上記実施例と同一構成部品については同一符号を付して、その説明を省略する。図１８は延長管３０５の断面図で、カバー体３２０の接続端子Ｂ３１３近傍と内管３０７壁面の接続端子Ａ３１１のそれぞれの近傍に開口穴部３３６、３３６ａが設けられている。
【００６９】
上記構成による作用は以下の通りである。導電体３１７は伸縮自在にコイル状に構成され、その全長が長くなる程抵抗値が高くなり、床ノズル３０９駆動用に電力を供給したとき、発熱する問題があるが、延長管３０５に手元操作部３０４を接続し掃除機本体を運転すると、延長管３０５内が負圧になり、接続端子Ａ３１１近傍の開口穴部３３６から外気を取り入れ内管３０７とカバー体３２０とで構成する収納部内を通過し、接続端子Ｂ３１３近傍の開口穴部３３６ａから吸引し、これにより筒状体３１８・導電体３１７近傍に冷却風が通過することとなり、前記導電体３１７の発熱に対し冷却ができ、温度上昇の緩和を図れる。
【００７０】
（実施例１５）
次に本発明の第１５の実施例を、図１９を用いて説明する。なお上記実施例と同一構成部品については同一符号を付して、その説明を省略する。図１９は延長管３０５の断面図で、内管３０７壁面の接続端子Ｂ３１３近傍と接続端子Ａ３１１近傍にそれぞれ開口穴部３３６、３３６ａが設けられている。
【００７１】
上記構成による作用は以下の通りである。延長管３０５に手元操作部３０４を接続し掃除機本体を運転すると、延長管３０５内が負圧になり、接続端子Ａ３１１近傍の開口穴部３３６から内管３０７とカバー体３２０とで構成する収納部内の空気を吸引し、そのため接続端子Ｂ３１３近傍の開口穴部３３６から外気を吸引し、よって筒状体３１８・導電体３１７近傍に冷却風が通過することとなり、前記導電体３１７の発熱に対し冷却ができ、温度上昇の緩和を図れ、また内管３０７内の吸込通路を通過する空気により導電体３１７の冷却を行うため、外気を取入れて冷却する方法と比較し、塵埃通路内の負圧劣化を発生させず効果が得られる。
【００７２】
（実施例１６）
次に本発明の第１６の実施例を、図２０を用いて説明する。なお上記実施例と同一構成部品については同一符号を付して、その説明を省略する。図２０は本発明の詳細図で、長い筒状体３１８の略中央部で一部を残して切断し、その部分で折り曲げて略Ｖ字型にするべく折曲部３１８ａを設け、この部分を外管３０６に保持固定する構成となっている。
【００７３】
上記構成による作用は以下の通りである。筒状体３１８を略Ｖ字型の折曲部３１８ａを設けることで、単品の長い筒状体３１８で組立するため、部品点数が削減されコストダウンができるとともに、前記折曲部３１８ａ前後を保持することにより、容易に軸方向の保持強度が向上し、強力な抜止め効果が発揮できる。
【００７４】
（実施例１７）
次に本発明の第１７の実施例を、図２１を用いて説明する。なお上記実施例と同一構成部品については同一符号を付して、その説明を省略する。図２１は本発明の詳細図で、長い筒状体３１８の略中央部の２ヵ所で一部を残して切断し、その部分で折り曲げて略コの字型にするべく複数の折曲部３１８ａを設け、この部分を外管３０６に保持固定する構成となっている。
【００７５】
上記構成による作用は以下の通りである。単品の長い筒状体３１８に略コの字型の折曲部３１８ａを複数設け構成組立するため、部品点数が削減されコストダウンができるとともに、前記折曲部３１８ａ前後を保持することにより、容易に軸方向の保持強度が向上し、強力な抜止め効果が発揮でき、さらに前記折曲部３１８ａが複数になり、かつそれぞれの前記折曲部３１８ａの間隔を設定することで、複数の導電体３１７の間隔を自在に設定可能とし、設計の自由度を増すことができる。
【００７６】
（実施例１８）
次に本発明の第１８の実施例を、図２２を用いて説明する。なお上記実施例と同一構成部品については同一符号を付して、その説明を省略する。図２２は筒状体３１８を保持する部分の延長管３０５の断面図で、筒状体３１８端部の一部を周方向より加熱又は加圧により縮小し、導電体３１７を圧着保持することにより、導電体３１７の筒状体３１８に対する抜止めの構成となっている。
【００７７】
上記構成による作用は以下の通りである。筒状体３１８端部の一部を加熱もしくは加圧により縮小し、導電体３１７を圧着保持することにより、別の導電体３１７保持用部品が不要となり、部品点数が削減されコストダウンができる。
【００７８】
（実施例１９）
次に本発明の第１９の実施例を、図３、２３を用いて説明する。なお上記実施例と同一構成部品については同一符号を付して、その説明を省略する。図２３に於いて、掃除機本体３０１・ホ−ス３０３・延長管３０５・床ノズル３０９を接続して塵埃を吸引しており、このとき筒状体３１８は延長管３０５の内面上方に構成されている。
【００７９】
上記構成による作用は以下の通りである。掃除作業中延長管３０５内を塵埃が通過し、掃除作業終了時には重力の影響によりヘア−ピンや爪楊枝等が外管３０６内面下方に落下・蓄積するが、このとき筒状体３１８は前記外管３０６内面の前記延長管３０５上方に構成されているため、前記筒状体３１８と前記外管３０６の間に蓄積することがなく、次に掃除機本体３０１による吸引作業を行ったとき、前記筒状体３１８が邪魔になる事なく容易に吸い込まれるため、塵埃詰まり等が防止でき、延長管３０５伸縮動作に障害を生じない。
【００８０】
（実施例２０）
次に本発明の第２０の実施例を、同図２３を用いて説明する。なお上記実施例と同一構成部品については同一符号を付して、その説明を省略する。図２３に於いて、外管３０６と筒状体３１８の接合部近傍に、ホ−ス３０３接続側に従い前記外管３０６の吸込通路面積が小さくなる斜面３３７を設けた三角部材３３８が設けられている。
【００８１】
上記構成による作用は以下の通りである。掃除作業中延長管３０５内を塵埃が通過し、その中でも特にヘア−ピンや爪楊枝等が外管３０６内面を通過するとき、その先端部が複数の前記筒状体３１８間或いは前記筒状体３１８と前記外管３０６内面間につき刺さる場合があるが、そのまま内管３０７を伸縮させ前記内管３０７にてヘア−ピン或いは爪楊枝等をホ−ス３０３接続側に押し込んだとき、斜面３３７に沿って吸込通路方向に押し出され、掃除機本体３０１の吸引力により吸引されるため、ヘア−ピン或いは爪楊枝等が外管３０６と筒状体３１８の接合部近傍より突き出る等の異常発生を防止できるものである。
【００８２】
（実施例２１）
次に本発明の第２１の実施例を、図２４を用いて説明する。なお上記実施例と同一構成部品については同一符号を付して、その説明を省略する。図２４に於いて、内管３０７の外方壁面にリブ３３９が設けられ、前記リブ３３９に導電体３１７を係止挿入するとにより、前記導電体３１７を伸ばしたときの長手方向の張力保持を行っている。
【００８３】
上記構成による作用は以下の通りである。延長管３０５を組立てるとき、内管３０７に導電体３１７を挿入した筒状体３１８を挿入し、前記導電体３１７端部を前記内管３０７に固定し、カバ−体３２０を覆い固定するが、このときリブ３３９に前記導電体３１７を係止挿入する構成を採っているため、前記導電体３１７を押付けるだけで確実に固定でき、簡単に作業が行えるものである。
【００８４】
【発明の効果】
本発明の請求項１記載の発明によれば、導電体を長いものとすることができ、伸縮耐久性が向上するとともに、接続端子Ａ・接続端子Ｂ・導電体のみで導電回路を形成できるため、部品点数が少なく、容易に組立てでき、延長管の構成が簡単でかつ小型化ができる。
【００８５】
本発明の請求項２記載の発明によれば、内管とカバ−体を溶着のみで接合しタイトするため、ネジ等で固定するよりも容易で、簡単に組み立てができる。
【００８６】
本発明の請求項３、４記載の発明によれば、収納部内に設けたリブの両側に導電体を設けたため、導電体の外周部に過大な空間がなくても互いの導電体は接触せず、延長管の断面積縮小・延長管の小型化ができる。
【００８７】
本発明の請求項５記載の発明によれば、複数の筒状体を接続体で連結しているため、部品点数削減による組立の容易化や部品自体のコストダウンができる。
【００８８】
本発明の請求項６記載の発明によれば、導電体先端を接続端子Ａ及び接続端子Ｂに直接かしめて接続しているので、導電体と接続端子Ａ及び接続端子Ｂへの接続部品の点数が削減でき、より安価に製造が可能となる。
【００８９】
本発明の請求項７記載の発明によれば、導電体先端に折曲部を形成し、接続端子Ａ及び接続端子Ｂに前記折曲部を直接かしめて接続しているので、導電体が接続端子Ａ及び接続端子Ｂに確実に接続され、強い張力が働いても抜け止めでき、電気的接続が維持される。
【００９０】
本発明の請求項８記載の発明によれば、筒状体の内径を接続端子Ａ外径より小とし、導電体の張力にて前記接続端子Ａを前記筒状体の軸方向に附勢しているので、内管を組み立てる際の筒状体挿入時に、導電体の張力で接続端子Ａが筒状体端部でグラグラすることがないので、挿入しにくい等の問題もなく容易に組み立てでき、組み立て作業効率が上がる。
【００９１】
本発明の請求項９記載の発明によれば、導電体内に棒体を配したので、導電体は棒体により延長管に対するラジアル方向の動きを規制されるので、外部から横衝撃が加わった場合にも、内管外面もしくは、カバー体内面に導電体が当たることにより発生する異常音を防止できる。
【００９２】
本発明の請求項１０記載の発明によれば、導電体内に伸縮自在な弾性体を配したので、導電体内の弾性体が伸びることでテンションが加わり、ラジアル方向に対して剛性を保つようになり、この剛性により導電体もラジアル方向の動きを規制され、外部から横衝撃が加わった場合にも、内管外面もしくは、カバー体内面に導電体が当たることにより発生する異常音を防止できる。
【００９３】
本発明の請求項１１記載の発明によれば、導電体外周に伸縮自在の伸縮体を設け、この伸縮体が延長管が伸量だけ伸びることで、常に導電体は伸縮体内に存在するため、外部から横衝撃が加わった場合にも、直接内管外面もしくは、カバー体内面に導電体は衝突しないため、異常音を防止できる。
【００９４】
本発明の請求項１２記載の発明によれば、内管及びカバー体の導電体収納部に緩衝材を配しているので、延長管が伸びることで導電体が露出したとき横衝撃が加わり導電体がラジアル方向に振動しても、導電体収納部に配した緩衝材のおかげで異常音は発生しない。
【００９５】
本発明の請求項１３記載の発明によれば、導電体の外周に移動可能なリング状緩衝材を設けたので、延長管が伸びることで導電体が露出し、横衝撃が加わり導電体がラジアル方向に振動しても、リング状緩衝材の働きで異常音が発生しない。
【００９６】
本発明の請求項１４記載の発明によれば、開口より外気通風路が形成され、カバ−体内部の筒状体へ外気が侵入接触し、筒状体中の導電体の発熱に対し冷却ができ、温度上昇の緩和を図ることができる。
【００９７】
本発明の請求項１５記載の発明によれば、複数の開口を設けることで、塵埃通路からの吸気風の侵入する通風経路が形成され、上記同様の筒状体に収納された導電体の発熱に対し冷却ができ、温度上昇の緩和を図ることができ、またカバ−体に外気とつながる開口を設けない為、塵埃通路内の負圧劣化させず効果を得ることができる。
【００９８】
本発明の請求項１６記載の発明によれば、筒状体の接続端子Ａ近傍に略Ｖ字型の折曲部を設け、前記折曲部を外管に固定するので、単品の長い筒状体で組立することができ、部品点数が削減されコストダウンができるとともに、前記折曲部前後を保持することにより、容易に軸方向の保持強度が向上し、強力な抜止め効果が発揮できる。
【００９９】
本発明の請求項１７記載の発明によれば、筒状体の接続端子Ａ近傍に略コの字型の複数折曲部を設け、前記折曲部を外管に固定するので、上記同様、筒状体部品点数が削減されコストダウンができ、前記折曲部前後を保持することにより、容易に軸方向の保持強度が向上し、強力な抜止め効果が発揮でき、さらに前記折曲部が複数になり、かつそれぞれの前記折曲部の間隔を設定することで、複数の導電体の間隔を自在に設定可能とし、設計の自由度を増すことができる。他通路との断面ピッチを自在に設定可能とできるとともに、抜け力向上が図れるものである。
【０１００】
本発明の請求項１８記載の発明によれば、筒状体端部の断面を加熱または加圧により縮小することにより、導電体を圧着保持が可能となり、別途保持部品が必要無く、部品点数が削減されコストダウンができる。
【０１０１】
本発明の請求項１９記載の発明によれば、筒状体を延長管の内面上方に設けることにより、掃除作業終了時に筒状体と延長管内面間に塵埃が蓄積することもなく、塵埃詰まり等が防止でき、延長間伸縮動作に障害を生じない。
【０１０２】
本発明の請求項２０記載の発明によれば、外管と筒状体の接合部近傍に、ホ−ス接続側に従い吸込通路面積が小さくなる斜面を構成したため、筒状体間にヘア−ピンや爪楊枝等がつき刺さったときにも、内管の伸縮により吸込通路に押し出され、筒状体接合部より突き出る等の機能障害を生じない。
【０１０３】
本発明の請求項２１記載の発明によれば、内管外方壁面に設けたリブに導電体を挿入し、導電体の長手方向の保持を行う構成を採っているため、延長管を組立てるとき、リブに導電体を押付けるだけで確実に固定でき、簡単に組立作業が行える。
【図面の簡単な説明】
【図１】（ａ）本発明の第１の実施例を示す電気掃除機用延長管の縮時の全体断面図
（ｂ）同電気掃除機用延長管の伸時の全体断面図
（ｃ）同図（ａ）のＡ−Ａ断面図
【図２】同電気掃除機用延長管の一部破断平面図
【図３】同電気掃除機全体の側面図
【図４】同電気掃除機用延長管の先端部の一部破断平面図
【図５】同電気掃除機用延長管の後端部の一部破断平面図
【図６】本発明の第２、第３の実施例を示す図２のＦ−Ｆ断面図
【図７】本発明の第４の実施例を示す図２のＦ−Ｆ断面図
【図８】本発明の第５の実施例を示す図２のＦ−Ｆ断面図
【図９】本発明の第６、７の実施例を示す電気掃除機用延長管の端部の一部破断平面図
【図１０】同電気掃除機用延長管の先端部の要部平面図
【図１１】本発明第８の実施例を示す電気掃除機用延長管の接続端子Ａ取付部の断面図
【図１２】（ａ）本発明の第９の実施例を示す電気掃除機用延長管の一部破断平面図  （ｂ）同電気掃除機用延長管の要部平面図
（ｃ）同電気掃除機用延長管の要部斜視図
（ｄ）同図（ａ）のＣ−Ｃ断面図
【図１３】（ａ）本発明の第１０の実施例を示す電気掃除機用延長管の一部破断平面図
（ｂ）同図（ａ）のＤ−Ｄ断面図
【図１４】（ａ）本発明の第１１の実施例を示す電気掃除機用延長管の一部破断平面図
（ｂ）同電気掃除機用延長管のジャバラ状筒体の一部破断平面図
【図１５】（ａ）本発明の第１２の実施例を示す電気掃除機用延長管の一部破断平面図
（ｂ）同電気掃除機用延長管の要部平面図
【図１６】（ａ）本発明の第１３の実施例を示す電気掃除機用延長管の一部破断平面図
（ｂ）同図（ａ）のＥ−Ｅ断面図
【図１７】本発明の第１４の実施例を示す電気掃除機用延長管の断面図
【図１８】同電気掃除機用延長管の一部破断平面図
【図１９】本発明の第１５の実施例を示す電気掃除機用延長管の断面図
【図２０】本発明の第１６の実施例を示す電気掃除機用延長管の筒状体の平面図
【図２１】本発明の第１７の実施例を示す電気掃除機用延長管の筒状体の平面図
【図２２】（ａ）本発明の第１８の実施例を示す電気掃除機用延長管の要部断面図
（ｂ）同電気掃除機用延長管の筒状体の要部断面図
【図２３】本発明の第１９、第２０の実施例を示す電気掃除機用延長管の要部断面図
【図２４】（ａ）本発明の第２１の実施例を示す電気掃除機用延長管の要部平面図
（ｂ）同電気掃除機用延長管の要部平面図
【図２５】従来の電気掃除機用延長管の収納状態を示す側面図
【図２６】同電気掃除機用延長管の伸長状態を示す側面図
【図２７】従来の電気掃除機全体の側面図
【図２８】（ａ）他の従来例を示す電気掃除機用延長管の伸長状態を示す断面図
（ｂ）同電気掃除機用延長管の収納状態を示す断面図
【符号の説明】
３０６    外管
３０７    内管
３１１    接続端子Ａ
３１１ａ  かしめ部
３１３    接続端子Ｂ
３１３ｂ  かしめ部
３１７    導電体
３１７ａ  折曲部
３１７ｂ  折曲部
３１８    筒状体
３２０    カバ−体
３２０ｂ  収納部
３２２    リブＡ
３２３    リブＢ
３２４    接続体
３２７    棒体
３３０    ゴム体
３３１    ジャバラ状筒体
３３４    緩衝材
３３５    リング状緩衝材
３３６    開口穴部
３１８ａ  折曲部
３３７    斜面
３３８    三角部材
３３９    リブ